(57)【特許請求の範囲】
【請求項１】
電子機器の筐体外側面部に開口したトレイ挿入口より前記電子機器内に引き出し可能に挿入されるトレイを備えてなる電子機器のトレイ式引き出し部構造において、
前記トレイには、トレイ本体の引出し手前側端部にトレイ厚み方向で回動可能に接合させた引き出し用摘み部を前記トレイ本体と別体に備え、
該引き出し用摘み部には、そのトレイ厚み方向の何れか一方の側面より突出し、前記トレイが前記電子機器内の所定の挿入位置まで挿入された際に前記筐体のトレイ挿入口内側開口縁部と互いに係合する抜け止め用突部と、前記トレイ挿入口の外側開口部を閉鎖する前縁蓋部を一体に備え、
前記電子機器内には、前記トレイ挿入口と連続配置に反力受け部が形成され、
前記引き出し用摘み部又は前記反力受け部には、前記トレイが前記電子機器内の所定の挿入位置まで挿入された際に前記反力受け部に支持されて前記引き出し用摘み部を回動方向抜け止め用突部側に向けて付勢する付勢手段を備え、
前記引き出し用摘み部を前記付勢手段に抗して回動させることにより前記抜け止め用突部がトレイ挿入口内側縁部より解除され、前記トレイが引き出し可能となるようにしたことを特徴としてなる電子機器のトレイ式引き出し部構造。
【請求項２】
前記トレイは、前記引き出し用摘み部をトレイ本体と別体に備え、且つ、前記トレイ本体より所定の引き出し位置まで移動可能とするとともに、該所定の引き出し位置で前記引き出し用摘み部に作用するトレイ引き出し方向の力を前記トレイ本体に伝達する伝達手段を備え、前記所定の引き出し位置まで引き出した引き出し用摘み部を摘まんで前記トレイを引き出せるようにした請求項１に記載の電子機器のトレイ式引き出し部構造
【請求項３】
前記トレイ本体又は前記引き出し用摘み部の何れか一方の接合端部に他方側に向けて開口した接合凹部を備えるとともに、他方の接合端部に前記接合凹部内に挿入される接合凸部を備え、前記伝達手段は、前記接合凹部又は接合凸部の何れか一方に支持させた棒状の回動軸部材と、他方に該回動軸部材が挿入されるトレイ挿抜方向に向けた長孔状に形成されたスライド用中空部とをもって構成され、該スライド用中空部のトレイ挿抜方向端部内縁に前記回動軸部材が当接することにより前記引き出し用摘み部に作用するトレイ引き出し方向の力を前記トレイ本体に伝達するようにしてなる請求項２に記載の電子機器のトレイ式引き出し部構造。
【請求項４】
前記付勢手段は、スライド用中空部の片側部に片持ち支持させた弾性バネ部をもって構成され、該弾性バネ部は、前記接合凸部の片面側にコネクタ幅方向に向けた切れ目を前記スライド用中空部と連通配置に形成することにより形成されてなる請求項３に記載の電子機器のトレイ式引き出し部構造。
【発明の詳細な説明】
【技術分野】
【０００１】
本発明は、携帯電話機やスマートフォン、その他の電子機器内に主にメモリーカード等の外部記憶媒体を出し入れするための電子機器のトレイ式引出し部構造に関する。
【背景技術】
【０００２】
携帯電話機やスマートフォン等の電子機器には、電子機器筐体の外側面部より引き出し可能なトレイを備え、引き出したトレイにＩＣカードやフラッシュメモリーカード等の外部記憶媒体を収容させ、それを電子機器内に挿入することにより当該外部記憶媒体を電子機器内に装備されたカードコネクタ等に接続させるようにしたトレイ式引き出し部構造が広く用いられている。
【０００３】
従来、このようなトレイ式引き出し部構造では、カードコネクタ等にトレイが挿入されるトレイ挿入部を備え、そのトレイ挿入部の両側部にバネ材からなる弾性抜け止め片を設け、その弾性抜け止め片がトレイの両側部に形成された係合凹部と互いに係合することによりトレイの抜け出しを防止するようにした所謂ハーフロック式の抜け出し防止機構を備えたものが知られている。
【０００４】
このようなハーフロック式の抜け出し防止機構は、取り出し機構によりトレイに一定以上の引出し方向の力を作用させると係合凹部の内縁部に押圧されて弾性抜け止め片が押し広げられ、それによりトレイのロック状態が解除され、トレイを電子機器より引き出せるようになっている。
【０００５】
一方、取出し機構としては、ハウジングのカード挿抜方向奥側に回動可能に支持された押出アームを備え、プッシュピンで押出しアームの一方の端部を押し込むことにより押出アームを回動させ、アームの他端側でトレイの奥側縁を排出方向に押し出すようにしたものが知られている（例えば、特許文献１を参照）。
【０００６】
また、他の取出し機構としては、ハートカム等を使用したプッシュイン・プッシュアウト機構を備え、最初のカード押し込み動作でトレイをハウジングの所定位置で保持させ、再度押し込むことにより保持力が解除されて押し出しバネにより引き出し方向に押し出されるようにしたものがある（例えば、特許文献２を参照）。
【先行技術文献】
【特許文献】
【０００７】
【特許文献１】特開２００８−１０８６９５号公報
【特許文献２】特開２００３−３１７８６１号公報
【発明の概要】
【発明が解決しようとする課題】
【０００８】
しかしながら、上述の如き従来の電子機器のトレイ式引出し部構造では、ハーフロック方式による抜け出し防止機構を用いた場合、電子機器を落とした際の落下衝撃等により一定以上の引出し方向の力が作用すると意図しない状況でトレイが電子機器より抜け出てしまう虞があった。
【０００９】
また、従来の電子機器のトレイ式引き出し部構造では、プッシュピンを使用した取り出し機構を用いた場合、プッシュピン又はその代用品が無いとトレイを電子機器の筐体から引き出すことができず、不便であるという問題があり、更には、プッシュピンを挿入するためのピン挿入孔をトレイの前縁部又は筐体の外側面に開口させる必要があり、電子機器の筐体外面部の美観を損なうという問題、更には当該ピン挿入孔より水滴等が機器内に侵入する虞があった。
【００１０】
更にまた、上述如きプッシュイン・プッシュアウト方式の取り出し機構を用いた場合、ハートカム等の構造を有するため、その分コネクタ全体の外形が大きくなり、コネクタがプリント配線基板に占める面積が大きくなり電子機器の小型化を阻害する虞があり、また、部品点数が多く、複雑な構造のためコストが嵩むという問題があった。
【００１１】
そこで本発明は、このような従来の問題に鑑み、落下衝撃等による不意の抜け出しを確実に防止し、且つ、簡易な構造で容易に引出し可能な電子機器のトレイ式引き出し部構造の提供を目的としてなされたものである。
【課題を解決するための手段】
【００１２】
上述の如き従来の問題を解決し、所期の目的を達成するための請求項1に記載の発明の特徴は、電子機器の筐体外側面部に開口したトレイ挿入口より前記電子機器内に引き出し可能に挿入されるトレイを備えてなる電子機器のトレイ式引き出し部構造において、前記トレイには、トレイ本体の引出し手前側端部にトレイ厚み方向で回動可能に接合させた引き出し用摘み部を前記トレイ本体と別体に備え、該引き出し用摘み部には、そのトレイ厚み方向の何れか一方の側面より突出し、前記トレイが前記電子機器内の所定の挿入位置まで挿入された際に前記筐体のトレイ挿入口内側開口縁部と互いに係合する抜け止め用突部と、前記トレイ挿入口の外側開口部を閉鎖する前縁蓋部を一体に備え、前記電子機器内には、前記トレイ挿入口と連続配置に反力受け部が形成され、前記引き出し用摘み部又は前記反力受け部には、前記トレイが前記電子機器内の所定の挿入位置まで挿入された際に前記反力受け部に支持されて前記引き出し用摘み部を回動方向抜け止め用突部側に向けて付勢する付勢手段を備え、前記引き出し用摘み部を前記付勢手段に抗して回動させることにより前記抜け止め用突部がトレイ挿入口内側縁部より解除され、前記トレイが引き出し可能となるようにしたことにある。
【００１３】
請求項２に記載の発明の特徴は、請求項１の構成に加え、前記トレイは、前記引き出し用摘み部をトレイ本体と別体に備え、且つ、前記トレイ本体より所定の引き出し位置まで移動可能とするとともに、該所定の引き出し位置で前記引き出し用摘み部に作用するトレイ引き出し方向の力を前記トレイ本体に伝達する伝達手段を備え、前記所定の引き出し位置まで引き出した引き出し用摘み部を摘まんで前記トレイを引き出せるようにしたことにある。
【００１４】
請求項３に記載の発明の特徴は、請求項２の構成に加え、前記トレイ本体又は前記引き出し用摘み部の何れか一方の接合端部に他方側に向けて開口した接合凹部を備えるとともに、他方の接合端部に前記接合凹部内に挿入される接合凸部を備え、前記伝達手段は、前記接合凹部又は接合凸部の何れか一方に支持させた棒状の回動軸部材と、他方に該回動軸部材が挿入されるトレイ挿抜方向に向けた長孔状に形成されたスライド用中空部とをもって構成され、該スライド用中空部のトレイ挿抜方向端部内縁に前記回動軸部材が当接することにより前記引き出し用摘み部に作用するトレイ引き出し方向の力を前記トレイ本体に伝達するようにしてなることにある。
【００１５】
請求項４に記載の発明は、請求項３の構成に加え、前記付勢手段は、スライド用中空部の片側部に片持ち支持させた弾性バネ部をもって構成され、該弾性バネ部は、前記接合凸部の片面側にコネクタ幅方向に向けた切れ目を前記スライド用中空部と連通配置に形成することにより形成されてなることにある。
【発明の効果】
【００１６】
本発明に係る電子機器のトレイ式引き出し部構造は、上述したように、電子機器の筐体外側面部に開口したトレイ挿入口より前記電子機器内に引き出し可能に挿入されるトレイを備えてなる電子機器のトレイ式引き出し部構造において、前記トレイには、トレイ本体の引出し手前側端部にトレイ厚み方向で回動可能に接合させた引き出し用摘み部を前記トレイ本体と別体に備え、該引き出し用摘み部には、そのトレイ厚み方向の何れか一方の側面より突出し、前記トレイが前記電子機器内の所定の挿入位置まで挿入された際に前記筐体のトレイ挿入口内側開口縁部と互いに係合する抜け止め用突部と、前記トレイ挿入口の外側開口部を閉鎖する前縁蓋部を一体に備え、前記電子機器内には、前記トレイ挿入口と連続配置に反力受け部が形成され、前記引き出し用摘み部又は前記反力受け部には、前記トレイが前記電子機器内の所定の挿入位置まで挿入された際に前記反力受け部に支持されて前記引き出し用摘み部を回動方向抜け止め用突部側に向けて付勢する付勢手段を備え、前記引き出し用摘み部を前記付勢手段に抗して回動させることにより前記抜け止め用突部がトレイ挿入口内側縁部より解除され、前記トレイが引き出し可能となるようにしたことにより、トレイを確実に抜け止めすることができ、電子機器の落下等による落下衝撃によりトレイに一定以上の引き出し方向の力が作用した場合であってもトレイの脱落を防止することができ、また、小型のカードコネクタであっても、十分な掴み代を確保することができる。
【００１７】
更に本発明において、前記トレイは、前記引き出し用摘み部をトレイ本体と別体に備え、且つ、前記トレイ本体より所定の引き出し位置まで移動可能とするとともに、該所定の引き出し位置で前記引き出し用摘み部に作用するトレイ引き出し方向の力を前記トレイ本体に伝達する伝達手段を備え、前記所定の引き出し位置まで引き出した引き出し用摘み部を摘まんで前記トレイを引き出せるようにしたことにより、プッシュピン等の部材を用いずにカードトレイを容易に引き出すことができ、また、プッシュイン・プッシュアウト機構のような複雑な構成を用いず安価である。
【００１８】
更にまた、本発明において、前記トレイ本体又は前記引き出し用摘み部の何れか一方の接合端部に他方側に向けて開口した接合凹部を備えるとともに、他方の接合端部に前記接合凹部内に挿入される接合凸部を備え、前記伝達手段は、前記接合凹部又は接合凸部の何れか一方に支持させた棒状の回動軸部材と、他方に該回動軸部材が挿入されるトレイ挿抜方向に向けた長孔状に形成されたスライド用中空部とをもって構成され、該スライド用中空部のトレイ挿抜方向端部内縁に前記回動軸部材が当接することにより前記引き出し用摘み部に作用するトレイ引き出し方向の力を前記トレイ本体に伝達するようにしたことにより、簡易な構造で好適にスライド摘みを引き出すことができるとともに、スライド摘みに作用するトレイ引き出し方向の力をトレイ本体に伝達することができる。
【００１９】
また、本発明において、前記付勢手段は、スライド用中空部の片側部に片持ち支持させた弾性バネ部をもって構成され、該弾性バネ部は、前記接合凸部の片面側にコネクタ幅方向に向けた切れ目を前記スライド用中空部と連通配置に形成することにより形成されてなることにより、簡易な構造で付勢手段を構成することができ、部品点数の増加を抑えて安価に製造することができる。
【図面の簡単な説明】
【００２０】
【図１】本発明に係る電子機器のトレイ式引き出し部構造を備えた電子機器の一例を示す斜視図である。
【図２】図１中のトレイ式引き出し部を示す縦断面図である。
【図３】同上のＡ−Ａ線矢視図である。
【図４】（ａ）は図１中のトレイ挿入口部分を示す正面図、（ｂ）は同背面図、（ｃ）は同縦断面図である。
【図５】図１中のトレイの一例を示す平面図、（ｂ）は同底面図である。
【図６】図５中の引き出し用摘み部を示す拡大平面図、（ｂ）は正面図、（ｃ）は同縦断面図である。
【図７】（ａ）〜（ｃ）はトレイ引き出し操作時の引き出し用摘み部部分の状態を示す部分拡大断面図である。
【図８】（ａ）〜（ｃ）はトレイ挿入操作時の引き出し用摘み部部分の状態を示す部分拡大断面図である。
【発明を実施するための形態】
【００２１】
次に、本発明に係る電子機器のトレイ式引き出し部構造の実施の態様を図１〜図７に示した実施例に基づいて説明する。尚、図中符号１はスマートフォン等の電子機器である。
【００２２】
この電子機器１には、図１に示すように、電子機器１筐体外側面部に開口したトレイ挿入口２と、トレイ挿入口２より電子機器１内に引き出し可能に挿入されるトレイ３とを備えてなるトレイ式引き出し部構造を有し、トレイ３を使用して電子機器１内にＩＣカードやメモリーカード等の外部記憶媒体が出し入れできるようになっている。
【００２３】
トレイ挿入口２は、図４に示すように、電子機器１の筐体を構成する側板１ａにその厚み方向で貫通した横長孔状に形成され、側板１ａの外側開口縁部に後述するトレイ３の前縁蓋部４が嵌り込む収容凹部５が形成されている。また、トレイ挿入口２の外側開口上縁部には、奥方向内側に向けて傾斜した面取り部２ａが形成されている。
【００２４】
また、電子機器１内部には、トレイ挿入口２の下側内側縁と連続配置にトレイ３の下面と平行な平板状の反力受け部６が形成され、この反力受け部６が筐体側板１ａの内側面部に一体に支持され、反力受け部６のトレイ３挿入側上面部には、トレイ挿入口２の下側内側縁より一段高い配置に段差部６ａが形成されている。
【００２５】
尚、電子機器１内には、図２、図３に示すように、このトレイ挿入口２と連続配置にカードコネクタ７を備え、カードを収容した状態でトレイ３がトレイ挿入口２を通してカードコネクタ７に挿入されることにより、トレイ３に収容されたカードがカードコネクタ７を通じて電子機器１に搭載されたプリント配線基板８に接続されるようになっている。
【００２６】
カードコネクタ７は、トレイ３が挿入されるトレイ挿入部１０を有するハウジング１１と、トレイ挿入部１０内に突出してトレイ３に収容されたカードの信号端子と接触する複数のコンタクト１２，１２...、１３，１３...とを備え、トレイ３をトレイ挿入部１０に挿入することによりトレイ３に収容されたカードの信号端子が対応するコンタクト１２，１２...、１３，１３...と弾性的に接触し、カードとプリント配線基板８とがコンタクト１２，１２...、１３，１３...を介して電気的に接続されるようになっている。
【００２７】
トレイ３は、図５に示すように、カードが収容される平板状のトレイ本体２０と、トレイ本体２０のトレイ引き出し方向側端部に配置された引き出し用摘み部２１とを備え、この引き出し用摘み部２１がトレイ本体２０に対しトレイ厚み方向に回動可能且つトレイ引き出し方向に引き出し可能に接合されている。
【００２８】
また、トレイ３には、所定の引き出し位置で引き出し用摘み部２１に作用するトレイ引き出し方向の力をトレイ本体２０に伝達する伝達手段を備え、引き出し用摘み部２１を摘まんでトレイ３を電子機器１の筐体より引き出すことができるようになっている。
【００２９】
トレイ本体２０は、絶縁性合成樹脂材をもって平板状に形成され、その片面部にカードが収容される向きの異なる２種類のカード収容部２２，２３が形成されている。
【００３０】
各カード収容部２２，２３は、それぞれ収容されるカードの外形状に合わせてトレイ本体２０の片面部を凹ませた形状に形成され、カードが信号端子側面を開口側に向けて収容されるようになっている。
【００３１】
また、トレイ本体２０の側面部には、トレイ挿入部１０の両側部に配置された板ばね状の弾性抜け止め片２４と互いに係合する係合凹部２５が形成され、この係合凹部２５に抜け止め片２４の係合突起２４ａが係合することによりトレイ本体２０がハウジング１１に所謂ハーフロックされ、トレイ３に一定以上の引出し方向の力を作用させると係合凹部２５の内縁部に押圧されて弾性抜け止め片２４が押し広げられ、それによりトレイ３のロック状態が解除されるようになっている。
【００３２】
一方、トレイ本体２０のトレイ引き出し方向側端部、即ち、引き出し用摘み部２１との接合端部には、引き出し用摘み部２１側に向けて開口した接合凹部３０を備え、この接合凹部３０内に引き出し用摘み部２１に備えられた接合凸部４０が挿入されるようになっている。
【００３３】
接合凹部３０は、トレイ本体２０がそのトレイ引き出し方向側端部に位置し、トレイ幅方向に間隔を置いて形成された一対の支持部３１，３１を有することにより、トレイ本体２０のトレイ引き出し方向端部に引き出し用摘み部２１側であり、且つ本体厚み側に開口した矩形切欠き状に形成されている。
【００３４】
両支持部３１，３１は、トレイ本体２０の他の部分の板厚に比して厚い形状に形成され、トレイ３をハウジング１１に挿入した際に、支持部３１，３１のトレイ３挿入方向側端面がハウジング１１の端面に当て止めされるようになっている。
【００３５】
また、この接合凹部３０には、両支持部３１，３１に両端を支持させた棒状の回動軸部材３２が接合凹部３０の互いに対向する内側面間に架け渡した配置に備えられ、この回動軸部材３２が接合凸部４０に形成されたスライド用中空部４１に挿入されるようになっている。
【００３６】
引き出し用摘み部２１は、図６に示すように、弾性及び可撓性を有する絶縁性合成樹脂材をもって形成され、接合凹部３０内に挿入される接合凸部４０と、接合凸部４０の引き出し方向側端部に配置された前縁蓋部４とを一体に備えている。
【００３７】
接合凸部４０は、厚みが支持部３１，３１と同じ又はやや薄い直方体状に形成され、そのトレイ挿入方向端部には、他の部分に比して厚みの薄い縮厚挿入部４０ａが形成されている。
【００３８】
縮厚挿入部４０ａは、トレイ本体２０の厚みと同じ又はやや薄く形成され、トレイ３をハウジング１１に挿入した際に、トレイ挿入部１０の開口部に嵌め込まれるようになっている。
【００３９】
接合凸部４０には、上面部の引き出し方向手前側部に抜け止め用突部４２を備え、トレイ３が電子機器１内の所定の挿入位置まで挿入された際にこの抜け止め用突部４２が筐体のトレイ挿入口２内側開口縁部と互いに係合することにより、引き出し用摘み部２１の引き出し方向の移動が規制され、トレイ３が抜け出ないようになっている。
【００４０】
この抜け止め用突部４２は、引き出し方向上側に向けて傾斜した導入傾斜面４２ａを有し、引き出し手前側の鉛直に切り立った形状の係合面４２ｂがトレイ挿入口２内側開口縁部に当て止めされて互いに係合するよう形成されている。
【００４１】
また、接合凸部４０には、トレイ幅方向両端面に開口したスライド挿抜方向に長い長孔状のスライド用中空部４１が形成され、このスライド用中空部４１内に回動軸部材３２が挿入されることにより、トレイ本体２０に対し引き出し用摘み部２１がコネクタ厚み方向に回動可能且つトレイ挿抜方向で引き出し可能に接合される。
【００４２】
更に、この接合凸部４０は、スライド用中空部４１の下側に厚み方向に弾性変形可能な板ばね状の弾性バネ部４３を一体に備え、この弾性バネ部４３が付勢手段を構成し、所定の挿入位置において反力受け部６に支持されて引き出し用摘み部２１を上側、即ち回動方向抜け止め用突部側に付勢し、抜け止め用突部４２が筐体のトレイ挿入口２内側開口縁部と互いに係合した状態を維持するようにしている。
【００４３】
弾性バネ部４３は、接合凸部４０の手前側下側部にコネクタ幅方向に向けた切れ目４１ａが中空部４１と連通配置に形成されたことにより、スライド用中空部４１の下側部が前縁を縮厚挿入部４０ａに一体に支持させた片持ちばね状に形成され、トレイ挿入方向奥側縁を基軸にトレイ厚み方向に弾性的に撓むことができるようになっている。
【００４４】
また、この弾性バネ部４３は、縮厚挿入部４０ａの基端部よりトレイ引き出し方向手前側且つ下側に向けて傾斜した傾斜面部４３ａを備え、トレイ引き出し方向手前側に行くにつれて板厚方向の厚みが厚く、且つ下端面４３ｂが接合凸部４０の下面より突出するように形成されている。
【００４５】
そして、トレイ３が電子機器１内の所定の挿入位置まで挿入され、弾性バネ部４３が反力受け部６の段差部６ａ上に乗り上げると、弾性バネ部４３が撓み、反力受け部６に支持されて引き出し用摘み部２１を上側に付勢するようになっている。
【００４６】
前縁蓋部４は、接合凸部４０の引き出し方向側端部と一体に形成されたトレイ幅方向に長い細長板状の水平梁部５０と、水平梁部５０のトレイ引き出し方向側に配置された薄板状の蓋本体５１とを備え、トレイ３を電子機器１に挿入した際に、この蓋本体５１がトレイ挿入口２外側開口縁部に形成された収容凹部５に嵌り込み、電子機器１筐体の外側面を構成するようになっている。
【００４７】
蓋本体５１は、水平梁部５０のトレイ引き出し方向側端面より大きく形成され、水平梁部５０のトレイ引き出し方向側端面に片面を一体に支持させて水平梁部５０に対し鍔状に張り出した形状に形成されている。
【００４８】
この蓋本体５１の縁部には、トレイ３挿入方向側に向けて傾斜した切欠き状の引掛け部５２を備え、引き出し用摘み部２１をトレイ本体２０から引き出す際に、蓋本体５１の縁部に人体の指の爪等が引っ掛け易いようになっている。
【００４９】
また、前縁蓋部４の両側部、即ち、蓋本体５１のトレイ挿入方向側の水平梁部５０の両端部には、トレイ挿入口２の両側部２ｂ、２ｂに嵌り込む係合部材５３，５３が一体又は一体的に備えられている。
【００５０】
この係合部材５３は、外側端部が円弧状に膨らんだ形状の突出部を一体に備え、この突出部が蓋本体５１の外側縁より外側に突出するように配置されている。
【００５１】
尚、前縁蓋部４は、前記合成樹脂材の他、ゴム材等の弾性材をもって構成してもよい。
【００５２】
このように構成された電子機器１のトレイ式引き出し部構造において、トレイ３を電子機器１より引き出すには、図７（ａ）〜図７（ｂ）に示すように、蓋本体５１の上縁部に指の爪を引っ掛け、その状態で引き出し用摘み部２１に下向きの力を加える。
【００５３】
それにより図７（ｂ）に示すように、引き出し摘み部２１が付勢手段の付勢力に抗して、即ち、弾性バネ部４３を弾性的に撓ませつつ回動軸部材３２を中心に回動し、抜け止め用突部４２の上下方向位置がトレイ挿入口２の開口上縁部より下側まで移動し、その状態で引き出し用摘み部２１に引出し方向の力を加えると、引き出し用摘み部２１の移動に伴って抜け止め用突部４２がトレイ挿入口２を通って側板１ａの外側に移動し、引き出し用突起４２がトレイ挿入口２内側縁部より解除されトレイ３が引き出し可能な状態となる。
【００５４】
そして、更に引き出し用摘み部２１を回動軸部材３２にガイドさせつつスライド移動させ、図７（ｃ）に示す所定の引き出し位置、即ち、スライド用中空部４１のトレイ挿入方向側端内縁４１ａが回動軸部材３２に当て止めされる位置まで引き出すと、引き出し用摘み２１に２本の指で摘むのに十分な摘み代が確保される。
【００５５】
そして、引き出し用摘み部２１を２本の指で摘まむことにより、より強いトレイ引き出し方向力を引き出し用摘み部２１に作用させることができ、また、引き出し用摘み部２１に引き出し力を作用させると、伝達手段を構成するスライド用中空部４１のトレイ３挿入方向端部内縁４１ａが回動軸部材３２をトレイ引き出し方向に向けて押圧し、それにより回動軸部材３２を介してトレイ本体２０に引き出し用摘み部２１に作用するトレイ引き出し方向の力が伝達される。
【００５６】
この状態で引き出し用摘み部２１を２本の指で摘まんで一定以上の引き出し力、即ち、トレイ本体２０とハウジング１１に対する保持力を上回る力を作用させると、弾性抜け止め片２４，２４が弾性変形して保持力が解除され、トレイ本体２０をプッシュピン等を使用せずに容易にカードトレイ３をハウジング１１及び電子機器１より引き出すことができる。
【００５７】
次に、トレイ３を電子機器１内に挿入するには、先ず、図８（ａ）に示すように、前縁蓋部４を押圧してトレイ３をトレイ挿入口２より電子機器１内の一定の挿入位置まで挿入すると、引き出し用摘み部２１の接合凸部４０が反力受け部６上に乗り上げるとともに、抜け止め用突部４２の誘導用傾斜面部４２ａがトレイ挿入口２外側上縁部の面取り部２ａに接触する。
【００５８】
その位置から更にトレイ３を押し込むと、図８（ｂ）に示すように、弾性バネ部４３が反力受け部６の段差部６ａ上に乗り上げるとともに、抜け止め用突部４２の誘導傾斜面４２ａがトレイ挿入口２の面取り部２ａに誘導されつつ内側面部に押圧され、それに伴い弾性バネ部４３が撓み、引き出し用摘み部２１が下側に回動した状態となる。
【００５９】
そして、更に押し込み、所定の挿入位置、即ち、トレイ本体２０がカードコネクタ７を構成するハウジング１１内に確実に挿入され、収容されたカードと対応するコンタクト１２，１２...、１３，１３...が接触する位置まで挿入されると、抜け止め用突部４２が筐体側板１ａの内側に位置し、弾性バネ部４３が反力受け部６に支持されて弾性復帰することにより引き出し用摘み部２１が上側に向けて付勢され、図２及び図８（ｃ）に示すように、抜け止め用突部４２がトレイ挿入口２の内側開口縁部と互いに係合した状態となり、トレイ３の抜け出し方向の移動が規制される。
【００６０】
この状態にあっては、引き出し用摘み部２１が反力受け部６に支持されて上側に付勢されているので、抜け止め用突部４２がトレイ挿入口２の内側開口縁部と互いに係合した状態が維持され、電子機器１を落下させたことによる落下衝撃等によりトレイ３に一定以上の引き出し方向の力が作用しても引き出し用摘み部２１が筐体内側面に当て止めされるので、トレイ３が不意に抜け出ることを防止できる。
【００６１】
尚、上述の実施例では、電子機器１としてスマートフォン等の携帯電子機器１を例に説明したが、ＤＶＤプレーヤー等のその他のトレイ式引出し構造を有する電子機器１に対応させることができる。
【００６２】
また、上述の実施例では、引き出し用摘み部２１をトレイ本体２０と別体に形成し、引き出し可能に接合させた例について説明したが、引き出し不能に接合させたものであってもよい。
【００６３】
更には、上述の実施例では、付勢手段を引き出し用摘み部２１に備えた弾性バネ部４３をもって構成した例について説明したが、付勢手段は弾性バネ部４３を反力受け部６に設けるようにした構造であってもよく、また、付勢するバネ材として金属製の板バネ等をインサート成型により引き出し用摘み部２１又は反力受け部６に一体化させた構造等であってもよい。
【符号の説明】
【００６４】
１  電子機器
２  トレイ挿入口
３  トレイ
４  前縁蓋部
５  収容凹部
６  反力受け部
７  カードコネクタ
８  プリント配線基板
１０  トレイ挿入部
１１  ハウジング
１２，１３  コンタクト
２０  トレイ本体
２１  引き出し用摘み部
２２、２３  カード収容部
２４  弾性抜け止片
２５  係合凹部
３０  接合凹部
３１  支持部
３２  回動軸部材
４０  接合凸部
４１  スライド用中空部
４２  抜け止め用突部
４３  弾性バネ部
５０  水平梁部
５１  蓋本体
５２  引掛け部  
５３  係合部材
【図１】
0005541470.tif 000002
【図２】
0005541470.tif 000003
【図３】
0005541470.tif 000004
【図４】
0005541470.tif 000005
【図５】
0005541470.tif 000006
【図６】
0005541470.tif 000007
【図７】
0005541470.tif 000008
【図８】
0005541470.tif 000009